(57)【要約】【目的】適切な高さ位置での管立ち上がり部分の確実な支持が容易に可能な立ち上がり管用支持具を提供する。【構成】床スラブ上を這う管の床上への立ち上がり部分を支持する支持具において、  床スラブに固定される水平板部と、該水平板部から略垂直方向に立ち上がる垂直板部とを有して成る台座と、  前記台座の垂直板部に添った状態で且つ高さ調整可能に取り付けられると共に、上部に管抱持部材が取り付けられた管支持板部と、  を有して成り、  前記管支持板部の上端が前記管抱持部材取付側に折り曲げられており、該折曲げ部分の下面に前記管抱持部材の上部の少なくとも一部が当接した状態で前記管抱持部材が前記管支持板部に取り付けられた構成である。【選択図】        図１
0003140059.tif 000002
【実用新案登録請求の範囲】
【請求項１】
床スラブ上を這う管の床上への立ち上がり部分を支持する支持具において、
床スラブに固定される水平板部と、該水平板部から略垂直方向に立ち上がる垂直板部とを有して成る台座と、
前記台座の垂直板部に添った状態で且つ高さ調整可能に取り付けられると共に、上部に管抱持部材が取り付けられた管支持板部と、
を有して成り、
前記管支持板部の上端が前記管抱持部材取付側に折り曲げられており、該折曲げ部分の下面に前記管抱持部材の上部の少なくとも一部が当接した状態で前記管抱持部材が前記管支持板部に取り付けられる構成であることを特徴とする立ち上がり管用支持具。
【請求項２】
前記台座の垂直板部に前記管支持板部がボルト・ナットやネジの如き緊締部材により取り付けられ、該緊締部材を支持板部又は台座の垂直板部のいずれか一方又は両方に形成された長孔に挿通して緊締することで前記管支持板部の高さ調整を行う構成であることを特徴とする請求項１に記載の立ち上がり管用支持具。
【請求項３】
前記長孔が、前記支持板部又は台座の垂直板部のいずれか一方又は両方に少なくとも２個設けられていることを特徴とする請求項２に記載の立ち上がり管用支持具。
【請求項４】
前記少なくとも２個の長孔が、長手方向を同一直線上とする位置に設けられていることを特徴とする請求項３に記載の立ち上がり管用支持具。
【請求項５】
前記台座の水平板部が、前記垂直板部を挟んだ反対側に延伸状態に設けられていることを特徴とする請求項１〜４のいずれかに記載の立ち上がり管用支持具。
【請求項６】
前記台座の水平板部の延伸部が、該水平板部の一部を切り起こし形成したものであることを特徴とする請求項５に記載の立ち上がり管用支持具。
【請求項７】
前記台座の水平板部の延伸部が、該水平板部と前記垂直板部との接線部分に溶接・融着・接着により取り付けられたものであることを特徴とする請求項５に記載の立ち上がり管用支持具。
【請求項８】
前記管抱持部材が、管の立ち上がり部分に形成された凹凸・蛇腹、又は立ち上がり部分を保持若しくは被覆する被覆部材の凹凸の少なくとも一部に嵌合して抱持支持する構成であることを特徴とする請求項１〜７のいずれかに記載の立ち上がり管用支持具。
【考案の詳細な説明】
【技術分野】
【０００１】
本考案は立ち上がり管用支持具に関し、詳しくはサイホン排水管等の立ち上がり部を床スラブ上に支持する支持具に関する。
【背景技術】
【０００２】
排水・給水・給湯用の配管構成として床スラブ上を這い、床下配管から床上（床板）へ向けて立ち上がる部分を支持する支持具が種々知られている（例えば、特許文献１又は２等参照）。
【０００３】
特許文献１に記載の技術は、断面Ｌ字形の板材の下部水平部をスラブ面に固定し、該板材の垂直部の上部付近に取り付けられた配管抱持部材で管の立ち上がり部分の上方部分を支持する構成のものである。
【０００４】
特許文献２に記載の技術は、スラブ面に固定される断面コ字形部材の上面に形成された透孔に２本のネジ棒部材が高さ調整可能に螺合立設されており、この２本のネジ棒部材の上部に架橋された板材に形成されたＵ字形切欠部で管の立ち上がり部分を支持する構成のものである。
【０００５】
【特許文献１】特開２００７−１３２４３０号公報
【特許文献２】特開平１１−２４１７９１号公報
【考案の開示】
【考案が解決しようとする課題】
【０００６】
しかしながら特許文献１の技術では、垂直部の上部付近に取り付けられた配管抱持部は固定状態で高さ調整ができない構成であることから、管の支持高さに応じて配管抱持部の管への抱持位置が変わってしまうため、最適な抱持箇所を抱持することができず確実な管支持が行えない場合があるという問題点を有している。
【０００７】
この点、特許文献２の技術では、管の立ち上がり部分の状態等に応じて支持固定位置を調整することができるため、適切な高さ位置での立ち上がり部分の支持が可能となるが、高さ調整が２本のネジ棒部材の螺合によるため、該２本のネジ棒部材の螺合位置の調整は煩雑且つ面倒であるという問題点を有しているだけでなく、高さ調整の際に２本のネジ棒部材の螺合位置高さが一致するように調整しなければ支持状態が傾いてしまうという不都合をも有している。
【０００８】
そこで本考案の課題は、適切な高さ位置での管立ち上がり部分の確実な支持が容易に可能な立ち上がり管用支持具を提供することにある。
【課題を解決するための手段】
【０００９】
上記課題を解決する本考案は下記構成を有する。
【００１０】
１．床スラブ上を這う管の床上への立ち上がり部分を支持する支持具において、
床スラブに固定される水平板部と、該水平板部から略垂直方向に立ち上がる垂直板部とを有して成る台座と、
前記台座の垂直板部に添った状態で且つ高さ調整可能に取り付けられると共に、上部に管抱持部材が取り付けられた管支持板部と、
を有して成り、
前記管支持板部の上端が前記管抱持部材取付側に折り曲げられており、該折曲げ部分の下面に前記管抱持部材の上部の少なくとも一部が当接した状態で前記管抱持部材が前記管支持板部に取り付けられる構成であることを特徴とする立ち上がり管用支持具。
【００１１】
２．前記台座の垂直板部に前記管支持板部がボルト・ナットやネジの如き緊締部材により取り付けられ、該緊締部材を支持板部又は台座の垂直板部のいずれか一方又は両方に形成された長孔に挿通して緊締することで前記管支持板部の高さ調整を行う構成であることを特徴とする上記１に記載の立ち上がり管用支持具。
【００１２】
３．前記長孔が、前記支持板部又は台座の垂直板部のいずれか一方又は両方に少なくとも２個設けられていることを特徴とする上記２に記載の立ち上がり管用支持具。
【００１３】
４．前記少なくとも２個の長孔が、長手方向を同一直線上とする位置に設けられていることを特徴とする上記３に記載の立ち上がり管用支持具。
【００１４】
５．前記台座の水平板部が、前記垂直板部を挟んだ反対側に延伸状態に設けられていることを特徴とする上記１〜４のいずれかに記載の立ち上がり管用支持具。
【００１５】
６．前記台座の水平板部の延伸部が、該水平板部の一部を切り起こし形成したものであることを特徴とする上記５に記載の立ち上がり管用支持具。
【００１６】
７．前記台座の水平板部の延伸部が、該水平板部と前記垂直板部との接線部分に溶接・融着・接着により取り付けられたものであることを特徴とする上記５に記載の立ち上がり管用支持具。
【００１７】
８．前記管抱持部材が、管の立ち上がり部分に形成された凹凸・蛇腹、又は立ち上がり部分を保持若しくは被覆する被覆部材の凹凸の少なくとも一部に嵌合して抱持支持する構成であることを特徴とする上記１〜７のいずれかに記載の立ち上がり管用支持具。
【考案の効果】
【００１８】
請求項１に示す考案によれば、適切な高さ位置での管立ち上がり部分の確実な支持が容易に可能な立ち上がり管用支持具を提供することができる。
【００１９】
特に管の立ち上がり部分の最適な箇所を抱持できる位置に管抱持部材の高さを調整することができるので確実な管支持が可能である。
【００２０】
しかも、管支持板部の上端の折曲げ部分の下面に少なくとも一部が当接した状態で管抱持部材が取り付けられていることから、管立ち上がり部分の屈曲から生じる反力や通液時の衝撃（例えば、ウォーターハンマー現象や、サイホン排水時の排水ポテンシャルエネルギー等）等の影響を受けることなく該管抱持部材の管支持板部への取付けが傾いたりズレたりすることがない。従って、管立ち上がり部分の確実な支持が可能である。
【００２１】
請求項２に示す考案によれば、長孔の範囲内での高さ調整が可能である。しかもかかる高さ調整はボルト・ナットやネジの如き緊締部材による緊締であるため極めて容易に調整可能である。
【００２２】
請求項３に示す考案によれば、少なくとも２個の長孔によりガタ付きや傾きを抑制した状態での高さ調整が可能である。
【００２３】
請求項４に示す考案によれば、ガタ付きや傾きをより抑制した状態での高さ調整が可能である。
【００２４】
請求項５に示す考案によれば、より安定した状態で台座を床スラブに固定することが可能である。
【００２５】
請求項６に示す考案によれば、台座の床スラブへの固定をより安定させることができる延伸部を別体の部材等を付加することなく設けることが可能である。
【００２６】
請求項７に示す考案によれば、台座の床スラブへの固定をより安定させることができる延伸部を別体の部材を付加するだけで設けることが可能である。
【００２７】
請求項８に示す考案によれば、軸方向への抱持ズレを抑制した状態での管立ち上がり部分の安定且つ確実な抱持が可能である。
【考案を実施するための最良の形態】
【００２８】
本考案に係る立ち上がり管用支持具の詳細について、添付の図面に基づき説明する。
【００２９】
図１は本考案に係る立ち上がり管用支持具の一実施例を示す５面図（正面図、平面図、底面図、左側面図、右側面図）、図２は図１の立ち上がり管用支持具の使用状態を示す正面図、図３は図１の立ち上がり管用支持具の他の態様を示す正面図、図４は立ち上がり管用支持具の台座の他の例を示す斜視図、図５は立ち上がり管用支持具の台座の他の例を示す斜視図である。
【００３０】
図１及び図２に示すように、本考案に係る立ち上がり管用支持具（以下、単に支持具ということもある。）１は、床スラブＦ上を這う管Ｐの床上への立ち上がり部分Ｐ１を支持するものである。支持する管Ｐとしては、床スラブ上に這った状態で配管される各種の排水・給水・給湯用の管類であり、特に、排水管の中の一配管であるサイホン排水管の支持に有効である。
【００３１】
支持具１は、床スラブＦに固定される水平板部１１と、該水平板部１１から略垂直方向に立ち上がる垂直板部１２とを有して成る台座１０と、前記台座１０の垂直板部１２に添った状態で且つ高さ調整可能に取り付けられると共に、上部に管抱持部材３０が取り付けられた管支持板部２０と、を有して成り、前記管支持板部２０の上端が前記管抱持部材３０取付側に折り曲げられており、該折曲げ部分２１の下面に前記管抱持部材３０の上部の少なくとも一部が当接した状態で前記管抱持部材３０が前記管支持板部２０に取り付けられる構成を主構成とする。
【００３２】
台座１０の水平板部１１には、床スラブＦに固定するアンカーやボルト等の固定具２を挿通するための透孔１１Ａが設けられている。台座１０の垂直板部１２には、ボルト・ナットやネジの如き緊締部材３を挿通するための透孔（緊締部材３のボルト頭に隠れるため図に表れず）が設けられている。
【００３３】
管支持板部２０には、前記台座１０の垂直板部１２に挿通される緊締部材３が挿通され、該管支持板部２０を垂直板部１２に高さ調整可能に取り付けるための長孔２０Ａが設けられている。
【００３４】
以上の主構成により、台座１０の垂直板部１２に管支持板部２０が垂直板部１２の透孔及び長孔２０Ａに挿通した緊締部材３により取り付けられ、該緊締部材３を緩めた後、管支持板部２０を垂直板部１２に添った状態でスライドさせることで前記管抱持部材３０による抱持支持高さを任意の高さに調整することができ、所望の高さ位置までスライドさせた後に前記緊締部材３を緊締することで調整した任意の抱持支持高さを固定することができる。
【００３５】
更に管支持板部２０の上部にネジ部材４等により取り付けられた管抱持部材３０は上述したように、少なくとも一部（本実施例では、管支持板部２０への取付部分近傍の上面）が折曲げ部分の２１の下面に当接した状態で取り付けられることで、抱持支持する管Ｐの立ち上がり部分Ｐ１の屈曲から生じる反力や通液時の衝撃（例えば、ウォーターハンマー現象や、サイホン排水時の排水ポテンシャルエネルギー等）等を受けることがあっても取付けが傾いたりズレたりすることを抑制できる。
【００３６】
管抱持部材３０は、管Ｐの立ち上がり部分Ｐ１を抱持支持できるものであれば公知公用の種々構成及び種々材質（金属製、合成樹脂製等）からなる配管抱持部材を用いることができ、例えば、本実施例のように一対の抱持バンド片の両端部をクリック掛止することで管Ｐを抱持可能な合成樹脂製のクリックバンド等を用いることが好ましい。
【００３７】
該管抱持部材３０は、管Ｐの立ち上がり部分Ｐ１に形成された凹凸・蛇腹に嵌合して抱持支持する構成であることが管Ｐの軸方向への抱持ズレを抑制することができるので好ましい。図２に示す本実施例では、立ち上がり部分Ｐ１を保持又は被覆する被覆部材（例えば、屈曲構成を有する継ぎ手等）の凹凸の少なくとも一部に嵌合する構成となっている。
【００３８】
また、上記構成を有する支持具１は、より安定した状態で台座１０を床スラブＦに固定するために、前記台座１０の水平板部１１が、前記垂直板部１２を挟んだ反対側に延伸部１３として延伸状態に設けられていることが好ましい。該延伸部１３は、水平板部１１の一部を切り起こし形成することで設けることが好ましい。該延伸部１３には、床スラブＦに固定するアンカーやボルト等の固定具２を挿通するための透孔１３Ａが設けられている。
【００３９】
以上の構成を有する支持具１の各構成部材、台座１０（水平板部１１及び垂直板部１２）、並びに管支持板部２０の材質としては、この種の配管支持具に用いられる公知公用の材質（例えば、ステンレスやアルミ等の金属、ポリエチレンやＡＢＳ等の合成樹脂等）を挙げることができる。
【００４０】
以上、本考案に係る立ち上がり管用支持具の一実施例について説明したが、本考案は上記構成に限定されず、本考案の範囲内において、例えば、下記のように種々の態様を採ることができる。
【００４１】
長孔２０Ａは、上記実施例では管支持板部２０に設けられているが、本考案はこれに限定されず、台座１０の垂直板部１２に設けられていてもよいし、両方に設けられていてもよい。
【００４２】
また長孔２０Ａは、上記実施例では管支持板部２０に２個設けられているが、本考案は２個に限定されず、１個のみでもよいし、３個以上でもよい。
【００４３】
更に長孔２０Ａは、上記実施例では２個の長孔２０Ａが長手方向を同一直線上とした状態で縦に並んだ位置に設けられているが、本考案はこれに限定されず、幅手方向、即ち、横に並んだ状態に設けられていてもよいし、幅手方向に並んだ状態で且つ長手方向にズレた状態に設けられていてもよい。
【００４４】
台座１０は、図２に示すように上記実施例では、該台座１０の水平板部１１が管支持板部２０よりも管抱持部材３０及び管Ｐの立ち上がり部分Ｐ１側に配設された向きとなる状態で床スラブＦに固定した構成となっているが、本考案はこれに限定されず、図３に示すように、該台座１０の延伸部１３が管抱持部材３０及び管Ｐの立ち上がり部分Ｐ１側に配設された向きとなる状態で床スラブＦに固定した構成としてもよい。
【００４５】
床スラブＦにより安定した状態で台座１０を固定するために好ましく設けられる水平板部１１の延伸部１３は、上記実施例では水平板部１１の一部を切り起こし形成することで設けられているが、本考案はこれに限定されず、図４に示すように、台座１０の水平板部１１と垂直板部１２との接線部分に他の板材からなる延伸部１３を溶接・融着・接着により取り付けることで設ける構成であってもよい。尚、延伸部１３は必須構成ではなく、図５に示すように省略した構成であってもよい。
【図面の簡単な説明】
【００４６】
【図１】本考案に係る立ち上がり管用支持具の一実施例を示す５面図（正面図、平面図、底面図、左側面図、右側面図）
【図２】図１の立ち上がり管用支持具の使用状態を示す正面図
【図３】図１の立ち上がり管用支持具の他の態様を示す正面図
【図４】立ち上がり管用支持具の台座の他の例を示す斜視図
【図５】立ち上がり管用支持具の台座の他の例を示す斜視図
【符号の説明】
【００４７】
１  立ち上がり管用支持具
２  固定具
３  緊締部材
４  ネジ部材
１０  台座
１１  水平板部
１１Ａ  透孔
１２  垂直板部
１３  延伸部
１３Ａ  透孔
２０  管支持板部
２０Ａ  長孔
２１  折曲げ部分
３０  管抱持部材
Ｆ  床スラブ
Ｐ  管
Ｐ１  管の立ち上がり部分
【図１】
0003140059.tif 000003
【図２】
0003140059.tif 000004
【図３】
0003140059.tif 000005
【図４】
0003140059.tif 000006
【図５】
0003140059.tif 000007